(57)【要約】【課題】容易な構成で安全性を向上させることができる空調室外機の提供。【解決手段】室外機１０は、底板４５と、据付脚３０と、ヒータ管２０ｈと、ネジ部材４９ａと、を備えている。底板４５には、ネジ穴４７ｂが形成されている。据付脚３０は、底板４５の下側に固定される。ヒータ管２０ｈは、底板４５に固定される。ネジ部材４９ａは、底板４５にヒータ管２０ｈを固定するために、底板４５の上側から下側に向かってネジ穴４７ｂに挿通される。また、ネジ穴４７ｂは、据付脚３０が底板４５に固定された場合に、据付脚３０に対向する位置に形成されている。【選択図】図３
2011112311.tif 000002
【特許請求の範囲】
【請求項１】
ネジ穴（４７ｂ）が形成されている底板（４５）と、
前記底板の下側に固定される据付脚（３０）と、
前記底板に固定される部品（２０ｈ）と、
前記底板に前記部品を固定するために、前記底板の上側から下側に向かって前記ネジ穴に挿通されるネジ部材（４９ａ）と、
を備え、
前記ネジ穴は、前記据付脚が前記底板に固定された場合に、前記据付脚に対向する位置に形成されている、
空調室外機（１０）。
【請求項２】
前記据付脚は、前記部品が固定された前記底板に前記据付脚が固定された場合に、前記ネジ部材の先端部を覆うように配置される覆い部（３５ｃ）を有する、
請求項１に記載の空調室外機。
【請求項３】
前記底板は、上方に突出する凸部（４７）を有し、
前記ネジ穴は、前記凸部に形成されている、
請求項１又は２に記載の空調室外機。
【請求項４】
前記部品は、加熱用部品である、
請求項１〜３のいずれか１項に記載の空調室外機。
【発明の詳細な説明】
【技術分野】
【０００１】
本発明は、空調室外機に関する。
【背景技術】
【０００２】
従来より、空調室外機の内側に部品を固定する際に、ネジ部材が用いられることがある。この場合、ネジ部材の先端部が空調室外機の外郭から外側に突出していることがあり、空調室外機の据付作業者やユーザが、空調室外機の外郭から外側に突出しているネジ部材の先端部に触れることで怪我をすることある。
【０００３】
そこで、特許文献１（特開平８−１３６００６号公報）に開示されている空調室外機のファンモータ取付台には、板部材を複数箇所で折り曲げた形状を呈するＬ字状部が設けられている。Ｌ字状部は、固定ネジによってファンモータ取付台が台板に取り付けられた際に、固定ネジの先端部を覆うように配置される。この空調室外機では、ファンモータ取付台が台板に取り付けられた場合に、Ｌ字状部の一部が、台板から突出した固定ネジの先端部よりも下側に配置されるため、据付作業者やユーザが固定ネジの先端に触れにくくすることができている。
【発明の概要】
【発明が解決しようとする課題】
【０００４】
しかしながら、特許文献１に開示されている空調室外機では、Ｌ字状部によって、固定ネジの先端部が覆われている。このため、空調室外機の据付作業者やユーザの安全性を向上させるためには、複雑な構成が必要である。
【０００５】
そこで、本発明の課題は、容易な構成で安全性を向上させることができる空調室外機を提供することにある。
【課題を解決するための手段】
【０００６】
第１発明に係る空調室外機は、底板と、据付脚と、部品と、ネジ部材と、を備えている。底板には、ネジ穴が形成されている。据付脚は、底板の下側に固定される。部品は、底板に固定される。ネジ部材は、底板に部品を固定するために、底板の上側から下側に向かってネジ穴に挿通される。また、ネジ穴は、据付脚が底板に固定された場合に、据付脚に対向する位置に形成されている。
【０００７】
第１発明に係る空調室外機では、ネジ穴は、据付脚が底板に固定された場合に、据付脚に対向する位置に形成されている。このため、据付脚が底板に固定された場合に、底板に形成されているネジ穴と据付脚とが、平面視において重なるように配置される。したがって、例えば、ネジ部材の先端部が据付脚の下端部よりも上側に配置される場合には、据付脚が底板に固定されることで、ネジ部材の先端部が据付脚よりも下方に突出しないようにすることができる。
【０００８】
これによって、容易な構成で安全性を向上させることができる。
【０００９】
第２発明に係る空調室外機は、第１発明の空調室外機であって、据付脚は、覆い部を有する。覆い部は、部品が固定された底板に、据付脚が固定された場合に、ネジ部材の先端部を覆うように配置される。このため、据付脚が底板に固定されることで、ネジ部材の先端部を覆うことができる。
【００１０】
これによって、ネジ部材の先端部が据付脚から外側に突出しないようにすることができる。
【００１１】
第３発明に係る空調室外機は、第１発明又は第２発明の空調室外機であって、底板は、上方に突出する凸部を有する。また、ネジ穴は、凸部に形成されている。このため、例えば、ネジ穴が底板において上方に突出していない部分に形成されている場合と比較して、ネジ穴から据付脚の上端部までの距離を大きくすることができる。したがって、ネジ部材の先端部が据付脚の下端部よりも下側に配置され難くすることができる。
【００１２】
第４発明に係る空調室外機は、第１発明から第３発明のいずれかの空調室外機であって、部品は、加熱用部品である。このため、例えば、寒冷地において、加熱用部品によって底板が暖められることで、底板に溜まった水が凍るおそれを減らすことができる。
【００１３】
これによって、底板近傍に配置されている部品が凍結するおそれを減らすことができる。
【発明の効果】
【００１４】
第１発明に係る空調室外機では、容易な構成で安全性を向上させることができる。
【００１５】
第２発明に係る空調室外機では、ネジ部材の先端部が据付脚から外側に突出しないようにすることができる。
【００１６】
第３発明に係る空調室外機では、ネジ部材の先端部が据付脚の下端部よりも下側に配置され難くすることができる。
【００１７】
第４発明に係る空調室外機では、底板近傍に配置されている部品が凍結するおそれを減らすことができる。
【図面の簡単な説明】
【００１８】
【図１】本発明の一実施形態に係る室外機を備える空気調和装置の外観図。
【図２】本発明の一実施形態に係る室外機を備える空気調和装置の概略冷媒回路図。
【図３】ヒータ管および据付脚が固定された底板を上方から視た図。
【図４】ヒータ管および据付脚が固定された底板を斜め上方から視た図。
【図５】ヒータ管および据付脚が固定された状態の底板の断面図（図３のV-V断面に相当）。
【図６】据付脚の平面図。
【図７】据付脚の側面図。
【発明を実施するための形態】
【００１９】
以下、図面を参照しながら、本発明の一実施形態に係る室外機１０（空調室外機に相当）を備える空気調和装置１について説明する。なお、以下の実施形態は、本発明の具体例であって、本発明の技術的範囲を限定するものではない。
【００２０】
＜空気調和装置の構成＞
空気調和装置１は、室外に設置される室外機１０と、室内の壁面に設置される室内機２とを備えている（図１参照）。室内機２内には室内熱交換器３が収容されており、室外機１０内には室外熱交換器１１が収容されており、室内熱交換器３および室外熱交換器１１が冷媒配管により接続されることで、冷媒回路２０を構成している。
【００２１】
＜冷媒回路の構成＞
冷媒回路２０は、図２に示すように、主として、圧縮機１２、四路切換弁１３、室外熱交換器１１、室外膨張弁１４、アキュムレータ１５および室内熱交換器３が冷媒配管によって接続されることで、構成されている。なお、圧縮機１２、四路切換弁１３、室外熱交換器１１、室外膨張弁１４、アキュムレータ１５は、室外機１０側に配置されている。また、室内熱交換器３は室内機２側に配置されている。
【００２２】
また、冷媒回路２０は、吐出管２０ａ、ガス管２０ｂ、液管２０ｃ、室外側液管２０ｄ、室外側ガス管２０ｅ、アキュム管２０ｆ、吸入管２０ｇおよびヒータ管２０ｈを有している。
【００２３】
吐出管２０ａは、圧縮機１２の吐出側と四路切換弁１３とを接続している。ガス管２０ｂは、四路切換弁１３と室内熱交換器３とを接続している。液管２０ｃは、室内熱交換器３と室外膨張弁１４とを接続している。室外側液管２０ｄは、室外膨張弁１４と室外熱交換器１１とを接続している。室外側ガス管２０ｅは、室外熱交換器１１と四路切換弁１３とを接続している。アキュム管２０ｆは、四路切換弁１３とアキュムレータ１５とを接続している。吸入管２０ｇは、アキュムレータ１５と圧縮機１２の吸入側とを接続している。
【００２４】
また、ヒータ管２０ｈは、吐出管２０ａの途中に設けられた分岐点Ａ１と、室外側液管２０ｄの途中に設けられた分岐点Ｄ１とを接続している。さらに、ヒータ管２０ｈには、その途中に弁２７が設けられている。弁２７は、制御部（図示せず）からの指令によって開閉される。このため、弁２７が開閉されることで、ヒータ管２０ｈ内の冷媒の流通が許容される状態と、許容されない状態とが切り換えられる。また、弁２７が開かれてヒータ管２０ｈ内の冷媒の流通が許容されると、ヒータ管２０ｈ内には、圧縮機１２から吐出されて吐出管２０ａ内を流れる高温のガス冷媒の一部が流れることになる。さらに、弁２７の下流側には、冷媒の流通路の断面積を減じるキャピラリーチューブ２８が設けられている。
【００２５】
＜室外機の構成＞
室外機１０は、図１に示すように、本体１７と、本体１７の下部に配置される据付脚３０と、を備えている。
【００２６】
本体１７は、ケーシング４０と、圧縮機１２と、四路切換弁１３と、室外熱交換器１１と、アキュムレータ１５と、室外ファン１６とを有している。
【００２７】
ケーシング４０は、圧縮機１２、四路切換弁１３、室外熱交換器１１、アキュムレータ１５および室外ファン１６を収納している。また、ケーシング４０は、天板４１、底板４５、前板４２、左側板４３ａ、右側板４３ｂおよび背板４４を有しており、略直方体形状を呈している。底板４５は、天板４１と対向するように配置される。前板４２は、背板４４と対向するように配置される。左側板４３ａと右側板４３ｂとは、互いに対向するように配置される。なお、底板４５の構成については、後に詳しく説明する。
【００２８】
据付脚３０は、本体１７が設置される設置場所と、本体１７と、の間に位置することになる部材である。また、室外機１０の外郭は、ケーシング４０と、据付脚３０とから構成される。なお、据付脚３０の構成については、後に詳しく説明する。
【００２９】
また、室外機１０は、仕切板（図示せず）によって、送風機室と機械室とに区分されている。送風機室には、室外熱交換器１１および室外ファン１６が配置されている。また、機械室には、圧縮機１２およびアキュムレータ１５が配置されている。
【００３０】
圧縮機１２は、運転容量を可変可能な圧縮機である。圧縮機１２は、駆動することによって、冷媒を圧縮する機能を有している。また、圧縮機１２は、底板４５に固定されている。
【００３１】
四路切換弁１３は、冷媒の流れを切り換えるために設けられている。なお、図２では、四路切換弁１３において、暖房運転を行うための接続状態を実線で示し、冷房運転を行うための接続状態を点線で示している。
【００３２】
室外熱交換器１１は、伝熱管と多数のフィンとから構成されるクロスフィン式のフィン・アンド・チューブ型熱交換器である。室外熱交換器１１は、左側板４３ａと背板４４とに沿うように配置され、平面視が略Ｌ字状となるような形状を有している。なお、暖房運転時には、室外熱交換器１１は蒸発器として機能し、室内熱交換器３は凝縮器として機能する。また、冷房運転時には、室外熱交換器１１は凝縮器として機能、室内熱交換器３は蒸発器として機能する。
【００３３】
室外膨張弁１４は、液管２０ｃや室外側液管２０ｄを流れる冷媒の圧力や流量の調整を行うために、室外熱交換器１１の液側に接続された電動膨張弁である。
【００３４】
アキュムレータ１５は、圧縮機１２の吸入側と四路切換弁１３との間に配置されており、冷媒回路２０内を循環する冷媒を一時的に溜めるための容器である。
【００３５】
室外ファン１６は、室外熱交換器１１の前方に配置されており、正面視において、送風機室の略中央部に配置されている。室外ファン１６は、複数の羽根を有するプロペラファンである。室外ファン１６は、ケーシング４０内に室外空気を吸入して、室外熱交換器１１において冷媒と熱交換させた後に、室外に排出する。また、室外ファン１６は、ファンモータ（図示せず）によって駆動される。また、ファンモータの後方には、ファンモータを固定するためのファンモータ台（図示せず）が配置されている。
【００３６】
＜底板の構成＞
図３は、ヒータ管２０ｈおよび据付脚３０が固定された底板４５を上方から視た図である。図４は、ヒータ管２０ｈおよび据付脚３０が固定された底板４５を斜め上方から視た図である。図５は、ヒータ管２０ｈおよび据付脚３０が固定された底板４５を図３のＶ-Ｖで切断し、図３の矢印Ｙ方向から視た図である。なお、図４では、ネジ部材４９ａを省略して描いている。また、図５では、据付脚３０が、設置台６０に固定されている状態を描いている。
【００３７】
底板４５は、本体１７の底面を構成しており、平面視において、略矩形状を呈する金属製の部材である。また、底板４５は、略水平面方向に延びる底面部４６と、底面部４６の周縁部分から略鉛直方向に立ち上がる鉛直部４５ａとを有している。鉛直部４５ａは、プレス成形によって、底面部４６と一体に形成されている。このような構成によって、底板４５は、底板４５に滴下する水を周縁部から外に逃さない構造になっている。
【００３８】
また、底面部４６は、水平面部４６ａと、傾斜面部４６ｂと、第１凹面部４６ｃと、第２凹面部４６ｄと、第３凹面部４６ｅと、台座部４６ｆと、を有する。
【００３９】
水平面部４６ａは、底面部４６の前側端部に配置されている。水平面部４６ａは、平坦な面であって、水平方向に沿って延びる面である。
【００４０】
傾斜面部４６ｂは、底面部４６の略中央部に配置されており、水平面部４６ａの背面側端部から連続して形成されている。また、傾斜面部４６ｂは、平坦な面であって、水平方向に対して傾斜している。具体的には、傾斜面部４６ｂは、前側端部よりも背面側端部の方が低くなるように傾斜している。さらに、傾斜面部４６ｂにおいて最も高い位置に配置される部分である傾斜面部４６ｂの前側端部は、水平面部４６ａを基準面とした場合、基準面と略同一となるように配置されている。
【００４１】
第１凹面部４６ｃは、底面部４６の略中央よりも左側の領域に配置されている。また、第１凹面部４６ｃは、水平面部４６ａ、傾斜面部４６ｂ、第２凹面部４６ｄおよび第３凹面部４６ｅに隣接している。第１凹面部４６ｃは、平坦な面であって、水平方向に沿って延びる面４６ｃａを含む。面４６ｃａは、基準面よりも低い位置に配置される。また、第１凹面部４６ｃの背面側端部近傍には、室外熱交換器１１等から滴下する水を室外機１０外に排出可能な開口４６ｃｂが形成されている。
【００４２】
第２凹面部４６ｄは、第１凹面部４６ｃと傾斜面部４６ｂとに隣接している。また、第２凹面部４６ｄは、平坦な面であって、水平方向に延びる面４６ｄａを含む。また、面４６ｄａは、第１凹面部４６ｃよりも低い位置であり、かつ、傾斜面部４６ｂの略中央部と略同一の位置に配置される。
【００４３】
第３凹面部４６ｅは、底面部４６の背面側端部に配置されており、傾斜面部４６ｂの背面側端部に連続して形成されている。また、第３凹面部４６ｅは、平坦な面であって、水平方向に沿って延びる面４６ｅａを含む。また、面４６ｅａは、傾斜面部４６ｂにおいて最も低い位置に配置される部分である傾斜面部４６ｂの背面側端部よりも低い位置に配置される。このため、第３凹面部４６ｅの含む面４６ｅａは、底面部４６において最も低い位置に配置される。さらに、第３凹面部４６ｅには、室外熱交換器１１等から滴下する水を室外機１０外に排出可能な開口４６ｅｂが形成されている。したがって、傾斜面部４６ｂを流れて第３凹面部４６ｅに集められた水を、開口４６ｅｂから排出することができる。
【００４４】
台座部４６ｆは、傾斜面部４６ｂの略中央部から背面側の領域に配置されている。また、台座部４６ｆは、平坦な面であって、水平方向に沿って延びる面４６ｆａを含む。また、面４６ｆａは、基準面と略同一の位置に配置される。さらに、台座部４６ｆには、ファンモータ台を固定するための取付部４６ｆｂが形成されている。
【００４５】
さらに、底面部４６は、底面部４６の略中央部よりも左側の領域であって、前記領域の前側端部近傍に、凸面部４７（凸部に相当）を有する。具体的には、凸面部４７は、図３に示すように、傾斜面部４６ｂ近傍であって、第１凹面部４６ｃと第２凹面部４６ｄの境界に配置されている。なお、凸面部４７は、底板４５において、左側に配置される据付脚３０の固定位置と重なるように配置されている。すなわち、凸面部４７は、据付脚３０が底板４５に固定された場合に、据付脚３０に対向する位置に設けられている。
【００４６】
凸面部４７は、底面部４６において、絞り加工によって、上方に突出するように形成されている。また、凸面部４７は、図５に示すように、水平方向に沿って延びる面４７ａを含む。面４７ａは、凸面部４７において最も高い位置に配置される部分であって、面４７ａは、第１凹面部４６ｃの含む面４６ｃａおよび第２凹面部４６ｄの含む面４６ｄａよりも高い位置に配置される。また、面４７ａには、後述するネジ部材４９ａが挿通可能なネジ穴４７ｂが形成されている。
【００４７】
また、底面部４６の上面側には、ヒータ管２０ｈの一部が配置される。具体的には、ヒータ管２０ｈは、圧縮機１２が位置する機械室側から送風機室側に延び、送風機室側底部を一周して機械室側に戻る。さらに、送風機室側では、ヒータ管２０ｈは、ファンモータ台（図示せず）が取り付けられる台座部４６ｆを囲むように、底面部４６の上面側に配置される。なお、本実施形態では、ヒータ管２０ｈは、室外熱交換器１１とは接触しない位置に配置されている。
【００４８】
さらに、本体１７は、図３に示すように、第１固定部材４８ａ、第２固定部材４８ｂ、第３固定部材４８ｃ、第４固定部材４８ｄおよび第５固定部材４９を備えている。第１固定部材４８ａ、第２固定部材４８ｂ、第３固定部材４８ｃ、第４固定部材４８ｄおよび第５固定部材４９は、ヒータ管２０ｈが底面部４６から離反しないように、ヒータ管２０ｈを底面部４６の上面側に固定するための部材である。
【００４９】
第１固定部材４８ａは、台座部４６ｆ端部に配置されている。また、第１固定部材４８ａは、ヒータ管２０ｈの外周を保持することで、ヒータ管２０ｈを台座部４６ｆおよびファンモータ台に固定する。
【００５０】
第２固定部材４８ｂは、第１凹面部４６ｃの背面側端部近傍に配置されている。また、第２固定部材４８ｂは、ヒータ管２０ｈの外周を保持することによって、ヒータ管２０ｈを第１凹面部４６ｃに固定する。
【００５１】
第３固定部材４８ｃは、底面部４６において、送風機室側の右側端部に配置されている。また、第３固定部材４８ｃは、ヒータ管２０ｈの外周を保持することによって、ヒータ管２０ｈを底面部４６に固定する。
【００５２】
第４固定部材４８ｄは、底面部４６において、第３固定部材４８ｃよりも前方に配置されている。また、第４固定部材４８ｄは、ヒータ管２０ｈの外周を保持することによって、ヒータ管２０ｈを底面部４６に固定する。
【００５３】
第５固定部材４９は、左側前部に配置されている。具体的には、第５固定部材４９は、凸面部４７近傍に配置される。また、第５固定部材４９は、ネジ部材４９ａと、保持部材４９ｂとを有する。ネジ部材４９ａは、凸面部４７のネジ穴４７ｂを、底面部４６の上面側から下面側に向かって挿通する。また、ネジ部材４９ａにおいて、ネジ穴４７ｂよりも下側に位置する部分の距離（長さ）は、凸面部４７の面４７ａから第２凹面部４６ｄの面４６ｄａまでの距離（高さ）と略同一、あるいは、凸面部４７の面４７ａから第２凹面部４６ｄの面４６ｄａまでの距離（高さ）よりも少しだけ大きい（図５参照）。保持部材４９ｂは、凸面部４７の含む面４７ａの上面側に配置される。また、保持部材４９ｂは、ヒータ管２０ｈの外周を保持する第１部分４９ｂａと、第１部分４９ｂａから延びる第２部分４９ｂｂとを含む。第２部分４９ｂｂには、ネジ部材４９ａが挿通可能なネジ穴４９ｃが形成されている（図４参照）。このため、図５に示すように、第１部分４９ｂａに保持されているヒータ管２０ｈは、ネジ部材４９ａが第２部分４９ｂｂのネジ穴４９ｃおよび凸面部４７のネジ穴４７ｂを挿通することで、保持部材４９ｂとともに底面部４６に固定される。このように、ヒータ管２０ｈは、底板４５の左側前部において、ネジ止めによって底板４５に固定されている。
【００５４】
＜据付脚の構成＞
据付脚３０は、本体１７を設置する設置台６０（図５参照）に直接接触する部材である。据付脚３０は、本体１７と設置台６０との間にスペースを確保する役割や、アンカーボルト（図示せず）によって本体１７を設置台６０に固定させる役割を果たす。
【００５５】
据付脚３０は、図１に示すように、底板４５の右側端部近傍の下面側と、底板４５の左側端部近傍の下面側とに、それぞれ固定される。なお、底板４５の右側端部近傍の下面側に固定される据付脚３０と、底板４５の左側端部近傍の下面側に固定される据付脚３０とは、同一の構成である。このため、１つの本体１７について、２つの同じ据付脚３０が取り付けられる。
【００５６】
据付脚３０は、底板４５の奥行き寸法よりも長く前後方向に延びている。また、据付脚３０は、図６および図７に示すように、第１端部３１と、第２端部３２と、前側凸部３３と、背面側凸部３４と、接続部３５と、を有している。
【００５７】
第１端部３１は、据付脚３０が底板４５に固定された場合に、底板４５の前側に配置される部分である。第１端部３１は、図６および図７に示すように、第１上面３１ａと、第１側面３１ｂと、第１前面３１ｃと、を含む。第１上面３１ａは、水平方向に延びる面であって、据付脚３０の下端を基準位置Ｈ１とすると、基準位置Ｈ１から所定の第１距離（例えば、４ｍｍ）だけ上方に配置される。第１側面３１ｂは、第１上面３１ａから離れる方向に第１上面３１ａの左右両端部から据付脚３０の下端まで延びている。第１前面３１ｃは、第１上面３１ａから離れる方向に、第１上面３１ａの前側端部から据付脚３０の下端まで延びている。また、第１上面３１ａには、据付脚３０を設置台６０に固定するためのアンカーボルトが挿通する孔３１ｄが形成されている。
【００５８】
第２端部３２は、据付脚３０が底板４５に固定された場合に、底板４５の背面側（後側）に配置される部分である。第２端部３２は、図６および図７に示すように、第２上面３２ａと、第２側面３２ｂと、第２背面３２ｃと、を含む。第２上面３２ａは、水平方向に延びる面であって、基準位置Ｈ１から、第１上面３１ａと等しい所定の第１距離だけ上方に配置される。第２側面３２ｂは、第２上面３２ａから離れる方向に、第２上面３２ａの左右両端部から据付脚３０の下端まで延びている。第２背面３２ｃは、第２上面３２ａから離れる方向に、第２上面３２ａの背面側端部から据付脚３０の下端まで延びている。また、第２上面３２ａには、据付脚３０を設置台６０に固定するためのアンカーボルトが挿通する孔３２ｄが形成されている。
【００５９】
前側凸部３３は、図６および図７に示すように、第３上面３３ａと、第３側面３３ｂと、第３前面３３ｃと、第３背面３３ｄと、を含む。第３上面３３ａは、水平方向に延びる面であって、基準位置Ｈ１から、所定の第１距離よりも大きい所定の第２距離（例えば、１５ｍｍ）だけ上方に配置される。第３側面３３ｂは、第３上面３３ａから離れる方向に、第３上面３３ａの左右両端部から据付脚３０の下端まで延びている。第３前面３３ｃは、第３上面３３ａから離れる方向に、第３上面３３ａの前側端部から第１上面３１ａの背面側端部に延びている。第３背面３３ｄは、第３上面３３ａから離れる方向に、第３上面３３ａの背面側端部から後述する接続部３５の第５上面３５ａの前側端部に延びている。
【００６０】
背面側凸部３４は、図６および図７に示すように、第４上面３４ａと、第４側面３４ｂと、第４前面３４ｃと、第４背面３４ｄと、を含む。第４上面３４ａは、水平方向に延びる面であって、基準位置Ｈ１から、第３上面３３ａと等しい所定の第２距離だけ上方に配置される。第４側面３４ｂは、第４上面３４ａから離れる方向に、第４上面３４ａの左右両端部から据付脚３０の下端まで延びている。第４前面３４ｃは、第４上面３４ａから離れる方向に、第４上面３４ａの前側端部から後述する接続部３５の第５上面３５ａの背面側端部に延びている。第４背面３４ｄは、第４上面３４ａから離れる方向に、第４上面３４ａの背面側端部から第２上面３２ａの前側端部に延びている。
【００６１】
接続部３５は、図６および図７に示すように、第５上面３５ａと、第５側面３５ｂと、を含む。第５上面３５ａは、水平方向に延びる面であって、基準位置Ｈ１から、所定の第１距離よりも大きく所定の第２距離よりも小さい所定の第３距離（例えば、１０．５ｍｍ）だけ上方に配置される。また、第５側面３５ｂは、第５上面３５ａから離れる方向に、第５上面３５ａの左右両端部から据付脚３０の下端まで延びている。さらに、第５側面３５ｂは、前側凸部３３近傍および背面側凸部３４近傍に設けられている。
【００６２】
また、底板４５において、据付脚３０が固定される固定位置は予め決まっている。さらに、ケーシング４０の底板４５に据付脚３０が固定される場合、前側凸部３３の第３上面３３ａおよび背面側凸部３４の第４上面３４ａと、底板４５の下面側と、が接合される。なお、左側に配置される据付脚３０は、平面視において底板４５の凸面部４７と重なる位置に固定される。また、上述のように、ネジ部材４９ａにおいてネジ穴４７ｂよりも下側に位置する部分の距離（長さ）は、凸面部４７の面４７ａから第２凹面部４６ｄの面４６ｄａまでの距離（高さ）と略同一、あるいは、凸面部４７の面４７ａから第２凹面部４６ｄの面４６ｄａまでの距離（高さ）よりも少しだけ大きい。このため、据付脚３０が底板４５に固定された場合、接続部３５の第５上面３５ａは、図５に示すように、ネジ部材４９ａの先端部に接触しない。また、第５上面３５ａは、据付脚３０が底板４５に固定されたときに、凸面部４７の面４７ａと対向する位置に配置される覆い部３５ｃを含む。覆い部３５ｃは、図５に示すように、ヒータ管２０ｈを底板４５に固定するときに用いられるネジ部材４９ａの先端部を覆うように配置される。このため、底板４５にヒータ管２０ｈが固定されても、ネジ部材４９ａの先端部が据付脚３０の覆い部３５ｃによって覆われているため、室外機１０の外郭からネジ部材４９ａの先端部が突出しないようにすることができる。
【００６３】
＜特徴＞
（１）
上記実施形態では、ネジ穴４７ｂは、底板４５において、据付脚３０が底板４５に固定された場合に、据付脚３０に対向する位置に形成されている。このため、据付脚３０が底板４５に固定された場合に、ネジ穴４７ｂと据付脚３０とが平面視において重なるように配置される。したがって、ネジ部材４９ａの先端部が、室外機１０の外郭から突出しないようにすることができる。
【００６４】
これによって、容易な構成で、空調室外機の据付作業者やユーザの安全性を向上させることができている。
【００６５】
（２）
上記実施形態では、据付脚３０は、底板４５に固定された場合に、凸面部４７の面４７ａと対向する位置に配置される覆い部３５ｃを含む。このため、ネジ部材４９ａによって、ヒータ管２０ｈが底板４５に固定されても、覆い部３５ｃによって、ネジ部材４９ａ先端部を覆うことができる。
【００６６】
これによって、ネジ部材４９ａの先端部が室外機１０の外郭から突出しないようにすることができている。
【００６７】
（３）
上記実施形態では、ネジ穴４７ｂは、凸面部４７の面４７ａに形成されている。このため、例えば、ネジ穴が第１凹面部に形成されている場合と比較して、据付脚３０が底板４５に固定された場合の据付脚３０とネジ穴との距離を大きくすることができる。したがって、ネジ部材４９ａの先端部と据付脚３０とが干渉しないようにすることができる。
【００６８】
これによって、ネジ部材４９ａの先端部が据付脚３０よりも下側に配置され難くすることができている。
【００６９】
（４）
上記実施形態では、底面部４６の上面側には、ヒータ管２０ｈの一部が配置されている。また、弁２７が開かれているときに圧縮機１２が駆動されることで、ヒータ管２０ｈには、高温のガス冷媒が流れる。このため、ヒータ管２０ｈに冷媒が流れている場合には、底面部４６を暖めることができる。したがって、寒冷地等の室外の温度が低い場合であっても、暖房運転時に室外熱交換器１１から底面部４６の上面側に滴下した水が凍るおそれを減らすことができる。
【００７０】
これによって、室外ファン１６が凍結して破損するおそれを減らすことができる。また、開口４６ｃｂや開口４６ｅｂが氷で塞がれるおそれを減らすことができるため、室外熱交換器１１から滴下した水を確実に排出することができる。
【００７１】
また、上記実施形態では、ヒータ管２０ｈは、底面部４６の上面側にネジ部材４９ａによって固定されている。このため、例えば、ヒータ管がネジ部材を用いない結束具（例えば、タイラップ等）によって底面部に固定される場合と比較して、ヒータ管が底面部から離反するおそれを減らすことができる。したがって、ヒータ管２０ｈと底面部４６との接触面積が減少することで、底面部４６を暖めるヒータ管２０ｈの効果が低減しないようにすることができる。
【００７２】
＜変形例＞
（Ａ）
上記実施形態では、底面部４６の上面側にはヒータ管２０ｈの一部が配置されており、底面部４６はヒータ管２０ｈ内を流れる高温のガス冷媒によって暖められている。
【００７３】
これに代えて、底面部が、冷媒回路とは別途設けられている加熱用部品によって暖められてもよい。
【００７４】
例えば、上記実施形態のヒータ管２０ｈが配置されている部分に、通電によって発熱する電気ヒータが配置されていてもよい。このように、底面部の上面側に電気ヒータが配置される場合には、電気ヒータに通電するためのスイッチ等を操作することで、底面部を暖めることができる。このため、圧縮機を駆動させなくても、底面部を暖めることができる。また、上記実施形態のように、冷媒回路を複雑な構成にしなくても、底面部を暖めることができる。これにより、容易な構成によって、底面部を暖めることができる。
【００７５】
（Ｂ）
上記実施形態では、据付脚３０には、据付脚３０が底板４５に固定された場合に、凸面部４７の面４７ａと対向する位置に配置される覆い部３５ｃが含まれる。
【００７６】
これに代えて、据付脚において、上記実施形態の覆い部３５ｃに相当する部分に、開口が形成されていてもよい。このように、据付脚に開口が形成されている場合であっても、据付脚の下面側は設置台、地面または床面によって覆われているため、据付脚からネジ部材の先端部が露出しないようにすることができる。このため、ユーザがネジ部材の先端部に触れて怪我をするおそれを減らすことができる。
【００７７】
これによって、安全性を向上させることができる。
【産業上の利用可能性】
【００７８】
本発明は、容易な構成で据付作業者やユーザの安全性を向上させることができる発明であるため、空調室外機への適用が有効である。
【符号の説明】
【００７９】
１０      室外機（空調室外機）
２０ｈ    ヒータ管（部品）
３０      据付脚
３５ｃ    覆い部
４５      底板
４７    凸面部（凸部）
４７ｂ      ネジ穴
４９ａ    ネジ部材
【先行技術文献】
【特許文献】
【００８０】
【特許文献１】特開平８−１３６００６号公報
【図１】
2011112311.tif 000003
【図２】
2011112311.tif 000004
【図３】
2011112311.tif 000005
【図４】
2011112311.tif 000006
【図５】
2011112311.tif 000007
【図６】
2011112311.tif 000008
【図７】
2011112311.tif 000009